(57)【要約】【課題】陸屋根の向きに関係なく、太陽電池モジュールを適切な方向に向ける。【解決手段】支持脚２２は、正方形の板状の下板３１と、下板３１から上方へ延出して設けられる管部３２と、管部３２に設けられる長方形の板状の上板３３とを備える。下板３１の四隅には、板面を貫通するようにして穴３４が形成される。上板３３の四隅には、板面を貫通するようにして穴３７が形成される。支持脚２２は、第一取付部材２３を介してＡＬＣ板３に固定されると共に、陸屋根１の構造部材に固定される。この際、支持脚２２は、上板３３の長手方向が南北方向へ沿うように固定される。【選択図】図６
2015218554.tif 000002
【特許請求の範囲】
【請求項１】
太陽電池モジュールの架台の支持脚の陸屋根への設置方法であって、
前記陸屋根の上面に設けられた防水部材と断熱材とを設定箇所において取り除き、厚板材を露出させる板材露出工程と、
前記厚板材の露出部において、前記厚板材に凹部を形成し、その凹部内において、前記陸屋根が備える構造部材を露出させる凹部形成工程と、
前記支持脚を前記構造部材に固定する支持脚固定工程と、
前記厚板材の露出部に、前記板材露出工程で取り除いた前記断熱材を埋め戻し、前記断熱材を埋め戻した箇所に防水処理を施す修復工程とを含み、
前記支持脚固定工程では、前記支持脚は、上端部を前記架台への取付部とし、下端部を前記架台の設置方向を変更可能に前記構造部材に固定する
ことを特徴とする太陽電池モジュールの架台の支持脚の陸屋根への設置方法。
【請求項２】
前記支持脚は、正方形の板状の下板と、この下板から上方へ延出して設けられる筒状の管部と、この管部の上端部に設けられる長方形の板状の上板とを備え、
前記上板が前記架台への取付部とされ、前記上板の長手方向が前記架台の南北方向とされ、
前記下板の四隅には、前記構造部材への固定部が形成されており、
前記管部に沿う軸回りに、前記支持脚を９０°毎に回転させることで、前記架台の設置方向を変更することができ、
前記下板が正方形状に形成されているため、前記構造部材に回転後も固定することができる
ことを特徴とする請求項１に記載の太陽電池モジュールの架台の支持脚の陸屋根への設置方法。
【請求項３】
複数の前記支持脚の内、少なくとも一つの前記支持脚の設置方法であって、
前記板材露出工程では、互いに隣接する前記厚板材同士の隙間に充填した目地モルタルの交差部を含む箇所において、前記防水部材と前記断熱材とを取り除くことで、前記厚板材を露出させ、
前記凹部形成工程では、前記目地モルタルを取り除くことで露出した鉄筋を切除し、前記目地モルタルを取り除いた前記交差部において、前記厚板材を削り取って前記凹部を形成することで、前記構造部材の一つであって、前記陸屋根が備える梁に固定した通気部材を露出させ、
前記支持脚固定工程では、棒材を前記通気部材に通しつつ前記隙間に設け、その棒材を介して、前記支持脚の第一取付部材を前記通気部材に取り付けた後、前記隙間に目地モルタルを充填し、前記第一取付部材を介して、前記支持脚を前記厚板材に固定することで、前記支持脚を前記梁に固定する
ことを特徴とする請求項１または請求項２に記載の太陽電池モジュールの架台の支持脚の陸屋根への設置方法。
【請求項４】
複数の前記支持脚の内、残りの前記支持脚の設置方法であって、
前記板材露出工程では、前記通気部材を有さない箇所において、前記防水部材と前記断熱材とを取り除くことで、前記厚板材を露出させ、
前記凹部形成工程では、前記厚板材を貫通して前記凹部を形成することで、前記構造部材の一つであって、前記陸屋根が有する梁を露出させ、
前記支持脚固定工程では、前記支持脚の第二取付部材を前記凹部にはめ込みつつ前記梁に固定し、前記第二取付部材を介して、前記支持脚を前記厚板材に固定することで、前記支持脚を前記梁に固定する
ことを特徴とする請求項３に記載の太陽電池モジュールの架台の支持脚の陸屋根への設置方法。
【発明の詳細な説明】
【技術分野】
【０００１】
本発明は、太陽電池モジュールが陸屋根に設置される際に、架台の支持脚が陸屋根の構造部材（躯体）に固定される架台の支持脚の設置方法に関するものである。
【背景技術】
【０００２】
下記特許文献１には、陸屋根の屋上面（５２）に基礎ブロック（５Ａ，５Ｂ）が載置され、その基礎ブロック（５Ａ，５Ｂ）上に、太陽光発電アレイの架台の支柱（２Ａ，２Ｂ）が立設される構成が開示されている。このような構成では、耐風性を向上させるために、斜材（３，４）を介して、気流制御板（１１）が支柱（２Ａ）に設けられている。ここで、括弧書きの符号は、特許文献１中における符号である。
【０００３】
しかしながら、下記特許文献１に記載の発明では、前述したように、気流制御板を設けることで耐風性を向上させているが、それでも、耐風性をより向上させ、台風時などにおいても、設置状態を確実に維持することができるものが望まれている。つまり、暴風によって、太陽電池モジュールが架台ごと倒れたり、飛ばされたりすることなく、安全性や安定性のより高い太陽電池モジュールの支持構造が望まれている。そこで、架台を建物の躯体に固定することが提案されている。
【０００４】
ＡＬＣ（Ａｕｔｏｃｌａｖｅｄ  Ｌｉｇｈｔ  Ｗｅｉｇｈｔ  Ｃｏｎｃｒｅｔｅ）板を用いた陸屋根の場合、陸屋根の躯体の位置関係が決まっていることが多いため、その陸屋根の躯体に取り付けられる架台の向きが限定され、ひいては太陽電池モジュールの設置方向も限定されてしまっていた。これでは、様々な方向を向いた陸屋根に、太陽電池モジュールが設置される際に、太陽電池モジュールが、各陸屋根において、適切な方向へ向けて設置できない場合があった。すなわち、太陽電池モジュールが南方向を向くように設置することができないおそれがあった。
【先行技術文献】
【特許文献】
【０００５】
【特許文献１】特開２０１１−９１１６６号公報
【発明の概要】
【発明が解決しようとする課題】
【０００６】
本発明が解決しようとする課題は、陸屋根に設置された太陽電池モジュールの架台の安全性や安定性をより向上させつつ、陸屋根の向きに関係なく、太陽電池モジュールを適切な方向に向けることができる架台の支持脚の設置方法を提供することにある。
【課題を解決するための手段】
【０００７】
本発明は、前記課題を解決するためになされたもので、請求項１に記載の発明は、太陽電池モジュールの架台の支持脚の陸屋根への設置方法であって、前記陸屋根の上面に設けられた防水部材と断熱材とを設定箇所において取り除き、厚板材を露出させる板材露出工程と、前記厚板材の露出部において、前記厚板材に凹部を形成し、その凹部内において、前記陸屋根が備える構造部材を露出させる凹部形成工程と、前記支持脚を前記構造部材に固定する支持脚固定工程と、前記厚板材の露出部に、前記板材露出工程で取り除いた前記断熱材を埋め戻し、前記断熱材を埋め戻した箇所に防水処理を施す修復工程とを含み、前記支持脚固定工程では、前記支持脚は、上端部を前記架台への取付部とし、下端部を前記架台の設置方向を変更可能に前記構造部材に固定することを特徴とする太陽電池モジュールの架台の支持脚の陸屋根への設置方法である。
【０００８】
請求項２に記載の発明は、前記支持脚は、正方形の板状の下板と、この下板から上方へ延出して設けられる筒状の管部と、この管部の上端部に設けられる長方形の板状の上板とを備え、前記上板が前記架台への取付部とされ、前記上板の長手方向が前記架台の南北方向とされ、前記下板の四隅には、前記構造部材への固定部が形成されており、前記管部に沿う軸回りに、前記支持脚を９０°毎に回転させることで、前記架台の設置方向を変更することができ、前記下板が正方形状に形成されているため、前記構造部材に回転後も固定することができることを特徴とする請求項１に記載の太陽電池モジュールの架台の支持脚の陸屋根への設置方法である。
【０００９】
請求項３に記載の発明は、複数の前記支持脚の内、少なくとも一つの前記支持脚の設置方法であって、前記板材露出工程では、互いに隣接する前記厚板材同士の隙間に充填した目地モルタルの交差部を含む箇所において、前記防水部材と前記断熱材とを取り除くことで、前記厚板材を露出させ、前記凹部形成工程では、前記目地モルタルを取り除くことで露出した鉄筋を切除し、前記目地モルタルを取り除いた前記交差部において、前記厚板材を削り取って前記凹部を形成することで、前記構造部材の一つであって、前記陸屋根が備える梁に固定した通気部材を露出させ、前記支持脚固定工程では、棒材を前記通気部材に通しつつ前記隙間に設け、その棒材を介して、前記支持脚の第一取付部材を前記通気部材に取り付けた後、前記隙間に目地モルタルを充填し、前記第一取付部材を介して、前記支持脚を前記厚板材に固定することで、前記支持脚を前記梁に固定することを特徴とする請求項１または２に記載の太陽電池モジュールの架台の支持脚の陸屋根への設置方法である。
【００１０】
さらに、請求項４に記載の発明は、複数の前記支持脚の内、残りの前記支持脚の設置方法であって、前記板材露出工程では、前記通気部材を有さない箇所において、前記防水部材と前記断熱材とを取り除くことで、前記厚板材を露出させ、前記凹部形成工程では、前記厚板材を貫通して前記凹部を形成することで、前記構造部材の一つであって、前記陸屋根が有する梁を露出させ、前記支持脚固定工程では、前記支持脚の第二取付部材を前記凹部にはめ込みつつ前記梁に固定し、前記第二取付部材を介して、前記支持脚を前記厚板材に固定することで、前記支持脚を前記梁に固定することを特徴とする請求項３に記載の太陽電池モジュールの架台の支持脚の陸屋根への設置方法である。
【発明の効果】
【００１１】
請求項１に記載の発明によれば、既存の陸屋根の内部に設けられる構造部材に、架台の支持脚を固定することができるため、安全性や安定性のより高い架台とすることができる。さらに、支持脚の下端部が、架台の設置方向を変更可能に構造部材に固定できるため、設置する陸屋根の向きに関係なく、太陽電池モジュールの設置方向を適切な方向とすることができる。
【００１２】
請求項２に記載の発明によれば、上板に架台が取り付けられ、上板の長手方向が架台の南北方向となるようにすることができる。具体的には、支持脚が上板の長手方向が南北方向となるように設置され、上板の上面に、上板の長手方向に沿うようにして、架台の受梁が取り付けられる。つまり、受梁の延出方向が陸屋根の南北方向とされる。従って、支持脚を９０°毎に回転させることで、架台の受梁の延出方向が回転前の延出方向と直交する、つまり、架台の設置方向を変更することができる。また、支持脚は、正方形状の下板の四隅に構造部材への固定部が形成されているため、回転後においても、回転前の各固定部の位置と対応する位置に、各固定部が配置されることになる。これにより、支持脚は、回転後においても、回転前と同様の位置で固定することができる。
【００１３】
請求項３に記載の発明によれば、陸屋根の梁に固定された通気部材に、第一取付部材を介して、支持脚が固定される。つまり、支持脚は、陸屋根の躯体である梁に固定される。さらに、支持脚は、第一取付部材を介して、厚板材にも固定される。このようにして、支持脚が梁と厚板材とに固定されるため、架台が陸屋根により強固に固定され、架台の安全性や安定性をより向上させることができる。
【００１４】
さらに、請求項４に記載の発明によれば、通気部材を有さない箇所においても、支持脚を陸屋根の梁に固定することができる。具体的には、梁に第二取付部材が固定され、第二取付部材に支持脚が固定される。また、支持脚が梁と厚板材とに固定されるため、架台が陸屋根により強固に固定され、架台の安全性や安定性をより向上させることができる。
【図面の簡単な説明】
【００１５】
【図１】本発明の設置方法が適用される陸屋根の一例を示す概略構成図であり、一部を断面にして示している。
【図２】図１の陸屋根を示す概略斜視図であり、一部を省略して示している。
【図３】図１の陸屋根を用いた支持脚の設置方法を示すフローチャートである。
【図４】図１の陸屋根を示す概略斜視図であり、陸屋根の一部が取り除かれた箇所を拡大して示している。
【図５】図１の陸屋根を示す概略縦断面図であり、目地モルタルおよび鉄筋が取り除かれた状態を示している。
【図６】図１の陸屋根を示す概略斜視図であり、ＡＬＣ板の一部を削り取った状態を示している。
【図７】図１の陸屋根を示す概略斜視図であり、第一取付部材および支持脚を取り付ける様子を示している。
【図８】図１の陸屋根を示す概略縦断面図であり、第一取付部材および支持脚が取り付けられた状態を示している。
【図９】図１の陸屋根を示す概略斜視図であり、第二取付部材および支持脚を取り付ける様子を示している。
【図１０】図１の陸屋根を示す概略縦断面図であり、第二取付部材および支持脚が取り付けられた状態を示している。
【図１１】図１の陸屋根に太陽電池モジュールが設置された状態を示す概略縦断面図である。
【図１２】図１の陸屋根に太陽電池モジュールが設置された状態を示す概略斜視図である。
【図１３】図７の支持脚を９０°回転させた状態を示している。
【図１４】図９の支持脚を９０°回転させた状態を示している。
【図１５】９０°回転させた支持脚を用いて、陸屋根に太陽電池モジュールが設置された状態を示す概略斜視図である。
【図１６】本発明の設置方法に用いられる支持脚の変形例を示す分解斜視図である。
【発明を実施するための形態】
【００１６】
以下、本発明の具体的実施例を図面に基づいて詳細に説明する。ここで、以下の説明においては、図１の紙面における左右方向が前後方向とされ、図１の紙面における垂直方向が左右方向とされる。
【００１７】
図１および図２は、本発明の設置方法が適用される陸屋根の一例を示す図であり、図１は一部を断面にして示す概略構成図、図２は一部を省略して示す概略斜視図である。本実施例の陸屋根１は、複数のＩ型鋼などの梁２，２，…が組まれた上に、その梁２，２間を架け渡すようにして、略長方形の板状に形成された複数の厚板材３，３，…が設けられる。本実施例では、厚板材３は、ＡＬＣ板とされる。それらのＡＬＣ板３，３，…の上面には、断熱材４が敷き詰められ、最後にシート状の防水部材５が敷設されている。また、周囲には、立ち上がり部である壁６が設けられている。
【００１８】
本実施例の陸屋根１では、ＡＬＣ板３の上面の長辺部に、下方へ凹んで段部７（図４）が形成されている。これにより、互いに長辺部同士が対応するようにして隣接するＡＬＣ板３間には、断面略矩形状の隙間８（図４）が形成される。この隙間８には、丸棒状の鉄筋９が、通気部材１０に通されつつ配置されている。このようにして、鉄筋９が配置された状態で、隙間８にはモルタル１１が充填されている。
【００１９】
通気部材１０は、金属製とされ、梁２への取付部１２と、この取付部１２から上方へ延出して設けられる立板部１３とを備える。取付部１２は、長方形状の板片１２ａと、板片１２ａに設けられる脚片１２ｂとを有する。板片１２ａは、長方形の板材とされ、長手方向が左右方向へ沿うと共に、板面が水平方向に沿うように配置される。脚片１２ｂは、上方へ開口する断面略コ字形の板状に形成され、その開放両端部が板片１２ａの下面に固定される。本実施例では、脚片１２ｂは、板片１２ａの長手方向両端部と、板片１２ａの長手方向中央部からずらした位置に固定される。このような構成の取付部１２には、上下方向へ貫通して円形状の穴１４が形成される。具体的には、板片１２ａに円形状の貫通穴１４ａが形成されると共に、この貫通穴１４ａと同一軸線上に配置されるように、脚片１２ｂに円形状の貫通穴１４ｂが形成される。
【００２０】
立板部１３は、長方形の板状とされ、長手方向が上下方向に沿うと共に、板面が左右方向に沿うように配置されている。本実施例では、立板部１３は、板片１２ａの長手方向略中央部において、板片１２ａの上面に固定される。立板部１３の上部には、板面を貫通するようにして、左右方向に細長い孔１５が形成されている。本実施例の孔１５は、略小判形状に形成されている。本実施例の通気部材１０は、取付部１２が梁２に重ね合わされた状態で、取付部１２の穴１４を介して、梁２に形成された穴にボルト１６が差し込まれ、そのボルト１６（図５）にナット１７（図５）が締め付けられることで、梁２に固定されている。
【００２１】
次に本実施例の設置方法について説明する。図３は、図１の陸屋根を用いた支持脚の設置方法を示すフローチャートである。図４から図１２は、本発明の設置方法を時系列に示す図であり、図４は、陸屋根の一部が取り除かれた状態を示す概略斜視図、図５は、目地モルタルおよび鉄筋が取り除かれた状態を示す概略縦断面図、図６は、ＡＬＣ板の一部を削り取った状態を示す概略斜視図、図７は、第一取付部材および支持脚を取り付ける様子を示す概略斜視図、図８は、第一取付部材および支持脚が取り付けられた状態を示す概略縦断面図、図９は、第二取付部材および支持脚を取り付ける様子を示す概略斜視図、図１０は、第二取付部材および支持脚が取り付けられた状態を示す概略縦断面図、図１１は、太陽電池モジュールが設置された状態を示す概略縦断面図、図１２は、太陽電池モジュールが設置された状態を示す概略斜視図である。図３に示されるように、本実施例では、板材露出工程Ｓ１、凹部形成工程Ｓ２、支持脚固定工程Ｓ３および修復工程Ｓ４が順次に実行される。
【００２２】
板材露出工程Ｓ１は、陸屋根１の上面に設けられた防水部材５と断熱材４とを設定箇所において取り除く工程である。具体的には、防水部材５および断熱材４を長方形状に切り取り、その下側にあるＡＬＣ板３を露出させる。この際、切り取られる防水部材５および断熱材４の長手方向は、前後方向へ沿っている。ここで、防水部材５および断熱材４を取り除く設定箇所は、下側に通気部材１０を有する部分とされる。従って、本実施例では、互いに隣接するＡＬＣ板３，３同士の隙間８に充填された目地モルタル１１の交差部１８を含む範囲において、防水部材５および断熱材４が長方形状に取り除かれる。なお、断熱材４は、後述する修復工程Ｓ４において使用されるため、防水部材５を剥がして保管しておく。
【００２３】
凹部形成工程Ｓ２は、ＡＬＣ板３の露出部１９に、下方へ凹んで凹部２０を形成する工程である。具体的には、まず、サンダーやのみなどの工具を用いて、目地モルタル１１が取り除かれる。この際、モルタル１１の粉塵が、ＡＬＣ板３の下側の天井裏に落ちないように、掃除機などで清掃される。そして、目地モルタル１１を取り除くことで露出した鉄筋９が取り除かれる。鉄筋９は、通気部材１０を挟んで前後の所望箇所が切り取られ、通気部材１０から抜き取られる。その後、図６に示されるように、目地モルタル１１を取り除いた交差部１８において、ＡＬＣ板３が削り取られて凹部２０が形成される。本実施例では、凹部２０は、円形状に形成される。凹部２０が形成されることで、陸屋根１の構造部材の一つである通気部材１０の上部が露出される。言い換えれば、通気部材１０の立板部１３に形成された孔１５が露出する程度に、ＡＬＣ板３が削り取られる。
【００２４】
支持脚固定工程Ｓ３は、陸屋根１の構造部材の一つである梁２に、架台２１の支持脚２２を固定する工程である。最初に、図７および図８に示されるように、露出した通気部材１０に、第一取付部材２３が固定される。第一取付部材２３は、金属製とされ、板状の横板部２４と、この横板部２４から下方へ延出して設けられる板状の取付部２５とを備える。横板部２４は、平面視Ｈ形状とされ、四隅に板面を貫通するようにして円形状の穴２６が形成される。取付部２５は、長方形状とされ、長手方向が左右方向へ沿って配置される。取付部２５には、板面を貫通するようにして円形状の穴２７が形成される。なお、取付部２５は、横板部２４の中央部から前後方向一方へ若干寄って設けられる。
【００２５】
本実施例では、凹部２０内において、第一取付部材２３の取付部２５が通気部材１０の立板部１３に重ね合わされた状態で、取付部２５の穴２７および立板部１３の孔１５に棒材２８が通され、ＡＬＣ板３，３間の隙間８に配置される。棒材２８は、全ネジのスタッドボルトから形成される。この棒材２８が取付部２５の穴２７および立板部１３の孔１５に通された状態で、ダブルナット２９と、異なるタイプからなる一組のナット３０，３０とが、取付部２５と立板部１３とを挟むように棒材２８に締め付けられることで、第一取付部材２３が棒材２８を介して通気部材１０に固定される。一組のナット３０，３０の内、一方のナットは、ロングナットとされる。前述したように、取付部２５が横板部２４の中央部から前後方向一方へ若干寄っているため、通気部材１０に第一取付部材２３が固定された際、第一取付部材２３が、通気部材１０に対して前後方向中央部に配置される。
【００２６】
支持脚２２は、金属製とされ、下端部に配置される下板３１と、この下板３１から上方へ延出して設けられる筒状の管部３２と、この管部３２の上端部に設けられる上板３３とを備える。下板３１は、正方形の板状とされ、四隅には、板面を貫通するようにして円形状の穴３４が形成される。下板３１には、管部３２の下部開口と対応する位置に、二つの水抜き穴３１ａ，３１ａが形成される。管部３２は、円筒状とされ、上下方向へ沿って配置される。管部３２の周側壁上部には、貫通するようにして、円形状の水抜き穴３２ａが形成される。管部３２の上端部には、鋳鋼からなる接続部３５が固定される。接続部３５は、円柱状とされ、周方向に沿って溝３６が形成される。接続部３５の下端部は、下方へ行くに従って径が小さくなるように形成される。上板３３は、長方形の板状とされ、四隅には、板面を貫通するようにして円形状の穴３７が形成される。上板３３は、接続部３５を介して、管部３２に固定される。
【００２７】
本実施例では、通気部材１０に第一取付部材２３が固定された後、ＡＬＣ板３，３間の隙間８にモルタル１１が充填される。そして、第一取付部材２３の横板部２４に支持脚２２の下板３１が重ね合わされた状態で、下板３１の穴３４と横板部２４の穴２６を介して、ＡＬＣ板３にボルト３８がねじ込まれる。これにより、支持脚２２は、第一取付部材２３を介してＡＬＣ板３に固定されると共に、陸屋根１の梁２に固定される。この際、支持脚２２は、上板３３の長手方向が南北方向へ沿うように固定される。
【００２８】
このようにして、通気部材１０を有する箇所において、支持脚２２を固定することができるが、通気部材１０を有さない箇所においても、本実施例の支持脚２２を固定することができる。この場合、板材露出工程Ｓ１では、設定箇所として、通気部材１０を有さない箇所、たとえば、一枚のＡＬＣ板３上が挙げられる。図９および図１０に示されるように、板材露出工程Ｓ１では、防水部材５と断熱材４とが長方形状に取り除かれ、あるＡＬＣ板３の上面が露出される。
【００２９】
凹部形成工程Ｓ２では、ＡＬＣ板３の露出部１９において、ＡＬＣ板３を貫通するようにして凹部２０が形成される。凹部２０が形成されることで、陸屋根１の構造部材の一つである梁２が露出され、凹部２０から梁２が視認可能とされる。本実施例の凹部２０は、四角形状とされる。
【００３０】
支持脚固定工程Ｓ３では、陸屋根１の梁２に、第二取付部材３９が固定される。第二取付部材３９は、金属製とされ、略コ字形状のはめ込み部４０と、はめ込み部４０に設けられる取付部４１，４１と、はめ込み部４０に設けられる補強部４２とを備える。はめ込み部４０は、四角板状の中央部４３の前後両端部に、上方へ延出して四角板状の開放両端部４４，４４が形成されて、上方へ開口した略コ字形状に形成される。はめ込み部４０の中央部４３の四隅には、板面を貫通するようにして円形状の穴４５が形成される。取付部４１，４１は、略矩形板状とされ、はめ込み部４０の開放両端部４４から、互いに離隔するようにして形成される。各取付部４１には、左右方向へ離隔して、円形状の穴４６が形成される。補強部４２は、略矩形板状とされ、はめ込み部４０の開放両端部４４，４４間を架け渡すようにして、はめ込み部４０に固定される。この際、補強部４２は、中央部４３の左側に配置される二つの穴４５，４５と、右側に配置される二つの穴４５，４５とに挟まれるようにして、はめ込み部４０に固定される。補強部４２の下端部は、下方へ行くに従って前後長さが小さくなるように形成される。
【００３１】
本実施例では、第二取付部材３９は、はめ込み部４０が凹部２０にはめ込まれて、中央部４３が梁２に当接される。この当接状態において、中央部４３の穴４５および梁２に形成された穴を貫通するようにしてワンサイドボルト４７が取り付けられることで、梁２に第二取付部材３９が固定される。その後、支持脚２２の下板３１が第二取付部材３９の取付部４１に重ね合わされた状態において、下板３１の穴３４および取付部４１の穴４６を介して、ＡＬＣ板３にボルト４８がねじ込まれる。これにより、支持脚２２は、第二取付部材３９を介してＡＬＣ板３に固定されると共に、陸屋根１の梁２に固定される。
【００３２】
修復工程Ｓ４は、板材露出工程Ｓ１で取り除いた断熱材４を埋め戻し、その部分に防水処理を施す工程である。図１１に示されるように、板材露出工程Ｓ１で取り除かれた断熱材４が、ＡＬＣ板３の露出部１９に埋め戻され、その埋め戻した箇所に防水部材５が敷設される。これにより、支持脚２２の取付箇所が隠され、陸屋根１の上面から支持脚２２の残りの部分が露出した状態となる。ここでは、板材露出工程Ｓ１において取り除いた断熱材４を再利用しているため、環境にやさしく、断熱材４にかかるコストを削減することができる。
【００３３】
図１１および図１２に示されるように、陸屋根１の梁２に支持脚２２が固定された後、支持脚２２には、太陽電池モジュール４９の架台２１が取り付けられる。架台２１は、複数のＩ型鋼からなる受梁５０を有しており、この受梁５０が支持脚２２に固定される。具体的には、支持脚２２の上板３３に受梁５０が載せ置かれた状態において、受梁５０の穴および上板３３の穴３７を貫通するようにして、ボルト５１が差し込まれ、そのボルト５１にナット５２が締め付けられる。この際、受梁５０は、支持脚２２の上板３３の長手方向に沿って固定される。すなわち、図示例では、受梁５０の延出方向が前後方向とされる。前述したように、支持脚２２は、上板３３の長手方向が、南北方向へ沿って固定されるため、受梁５０も南北方向へ沿って延出している。
【００３４】
図１２に示されるように、支持脚２２が所定の箇所に複数本設置され、それらの上に受梁５０が複数設置される。この際、各受梁５０は、前後方向つまり南北方向に延出するように設置されると共に、左右方向つまり東西方向に互いに離隔して配置される。言い換えれば、受梁５０の設置に合わせて、予め支持脚２２の設置箇所を決めておく。
【００３５】
受梁５０の上面には、太陽電池モジュール４９の脚部５３が設けられる。脚部５３は、後方へ開口した断面略コ字形状とされ、左右方向へ延出した板材とされる。脚部５３は、高さの異なる二つのタイプが使用される。具体的には、前側に低いタイプが用いられる一方、後側に高いタイプが用いられて、前後方向へ離隔して配置される。各脚部５３は、受梁５０，５０間を架け渡すようにして固定される。本実施例では、脚部５３の受梁５０への固定は、ボルトナットで行われる。
【００３６】
前後方向へ離隔した脚部５３，５３には、太陽電池モジュール４９が複数並べられて固定される。各太陽電池モジュール４９は、前端部が前側の低いタイプの脚部５３に固定されると共に、後端部が後側の高いタイプの脚部５３に固定される。これにより、太陽電池モジュール４９は、傾斜した状態で架台２１に固定される。このようにして、本実施例では、太陽電池モジュール４９は、パネル面が南方向を向くように傾斜しつつ、陸屋根１に設置することができる。
【００３７】
ところで、前述の場合は、陸屋根１の前後方向が南北方向とされていたが、本実施例では、陸屋根１の左右方向が南北方向の場合でも、太陽電池モジュール４９のパネル面を南方向へ向けることができる。図１３から図１５は、支持脚を９０°回転させた状態を示す図であり、図１３は、第一取付部材に対して９０°回転させた状態を示す概略斜視図、図１４は、第二取付部材に対して９０°回転させた状態を示す概略斜視図、図１５は、９０°回転させた支持脚を用いて太陽電池モジュールが設置された状態を示す概略斜視図である。
【００３８】
図１３に示されるように、支持脚２２は、図７の状態から、第一取付部材２３に対して９０°回転させている。これにより、支持脚２２の上板３３は、長手方向が左右方向へ沿って配置される。この場合においても、前述した場合と同様にして、第一取付部材２３に支持脚２２を固定することができる。なぜなら、支持脚２２の下板３１が正方形状とされ、四隅に穴３４が形成されているからである。つまり、下板３１に形成された四つの穴３４は、支持脚２２を９０°回転させた場合でも、回転前と穴の位置が重なり合うことになるからである。また、図１４に示されるように、図９の状態から、支持脚２２を９０°回転させても、同様の理由で、第二取付部材３９に支持脚２２を固定することができる。なお、この場合においても、各工程Ｓ１〜Ｓ４は、前述と同様にして実行される。
【００３９】
支持脚２２を９０°回転させたことで、架台２１の受梁５０が、左右方向へ沿って延出されると共に、前後方向へ沿って互いに離隔しつつ複数設けられる。そして、前述した場合と同様にして、受梁５０，５０間を架け渡すようにして脚部５３が受梁５０に固定され、脚部５３に太陽電池モジュール４９が固定される。このようにして、図１５に示されるように、本実施例では、陸屋根１の左右方向が南北方向の場合でも、太陽電池モジュール４９を南方向へ向けることができる。
【００４０】
本実施例の場合、陸屋根１の梁２に、架台２１の支持脚２２を固定することができるため、陸屋根１の床面に架台を載せ置いて固定する場合と比較して、より強固に固定することができる。また、支持脚２２は、梁２に固定されると共に、ＡＬＣ板３に固定されるため、さらに強固な固定とすることができる。従って、暴風時に、支持脚２２から架台２１が倒れるおそれがなく、安全性や安定性をより向上させることができる。
【００４１】
また、本実施例の場合、陸屋根１に設置する際、通気部材１０を有する場所においては、第一取付部材２３を用いて、梁２に支持脚２２を固定することができる。一方、通気部材１０を有さない場所においては、第二取付部材３９を用いて、梁２に支持脚２２を固定することができる。従って、本実施例では、通気部材１０の有無に関わらず、支持脚２２を陸屋根１の梁２に固定することができる。
【００４２】
さらに、本実施例の場合、陸屋根１の前後方向が南北方向となる場合でも、陸屋根１の左右方向が南北方向となる場合でも、支持脚２２を回転させることで架台２１の設置方向を変更でき、太陽電池モジュール４９を南方向へ向けることができる。従って、本実施例では、陸屋根１の向きに関係なく、太陽電池モジュール４９を適切な方向に向けることができる。
【００４３】
本発明は、前記実施例の構成に限らず、適宜変更可能である。たとえば、支持脚２２の構成は適宜変更可能である。図１６は、支持脚の変形例を示す分解斜視図である。本変形例の支持脚２２も、基本的には前記実施例と同様の構成であり、対応する箇所には同一の符号を付して説明する。本変形例の支持脚２２は、下側に配置される保持部材５４と、この保持部材５４に回転可能に設けられる回転部材５５とを備える。
【００４４】
保持部材５４は、正方形の板状の下板３１と、この下板３１から上方へ延出して設けられる管部３２とを有する。下板３１の四隅には、板面を貫通するようにして円形状の穴３４が形成される。管部３２は、円筒状とされており、上方へ開口している。管部３２の周側壁には、貫通して円形状の穴５６が六箇所に形成されており、その内、向かい合うようにして形成された穴５６，５６同士は、互いに対応している。互いに隣接する穴５６，５６同士は、周方向に４５°ズレて形成される。
【００４５】
回転部材５５は、筒状の被せ部５７と、この被せ部５７の上端部に設けられる接続部３５と、この接続部３５の上端部に設けられる上板３３とを備える。被せ部５７は、円筒状とされ、下方へ開口している。被せ部５７の周側壁には、貫通して円形状の穴５８が六箇所に形成されており、その内、向かい合うようにして形成された穴５８，５８同士は、互いに対応している。互いに隣接する穴５８，５８同士は、周方向に４５°ズレて形成される。被せ部５７の内径は、管部３２の外径に対応している。接続部３５は、円柱状とされ、鋳鋼から形成される。接続部３５には、周方向に沿って溝３６が形成される。接続部３５の下端部は、下方へ行くに従って径が小さくなるように形成される。上板３３は、長方形の板状とされ、四隅には、板面を貫通するようにして円形状の穴３７が形成される。
【００４６】
本変形例では、保持部材５４の管部３２に、回転部材５５の被せ部５７が回転可能に被せられ、管部３２の穴５６と被せ部５７の穴５８とを対応させた状態において、それらの穴５６，５８を貫通するようにしてボルト５９が差し込まれ、そのボルト５９にナット６０が締め付けられる。これにより、保持部材５４に回転部材５５が取り付けられる。互いに隣接する穴５６，５６（５８，５８）同士は、４５°ズレて配置されているため、保持部材５４に対して、回転部材５５を４５°回転させた状態で取り付けることができる。従って、本変形例の場合、架台２１の設置方向を微調整することができ、より多くの陸屋根において、太陽電池モジュール４９を南方向へ確実に向けることができる。
【００４７】
また、第一取付部材２３や第二取付部材３９は、前記実施例の構成に限らず、適宜変更可能である。さらに、前記実施例では、第一取付部材２３を用いて支持脚２２を固定する場合と、第二取付部材３９を用いて支持脚２２を固定する場合とが組み合わされたが、すべての支持脚２２が第一取付部材２３を用いて固定されていてもよい。つまり、支持脚２２の固定箇所が、全て通気部材を有する箇所であってもよい。
【符号の説明】
【００４８】
１  陸屋根
２  梁
３  ＡＬＣ板
４  断熱材
５  防水部材
７  段部
８  隙間
９  鉄筋
１０  通気部材
１１  モルタル
１８  交差部
１９  露出部
２０  凹部
２１  架台
２２  支持脚
２３  第一取付部材
２８  棒材
３１  下板
３２  管部
３３  上板
３９  第二取付部材
４９  太陽電池モジュール
Ｓ１  板材露出工程
Ｓ２  凹部形成工程
Ｓ３  支持脚固定工程
Ｓ４  修復工程
【図１】
2015218554.tif 000003
【図２】
2015218554.tif 000004
【図３】
2015218554.tif 000005
【図４】
2015218554.tif 000006
【図５】
2015218554.tif 000007
【図６】
2015218554.tif 000008
【図７】
2015218554.tif 000009
【図８】
2015218554.tif 000010
【図９】
2015218554.tif 000011
【図１０】
2015218554.tif 000012
【図１１】
2015218554.tif 000013
【図１２】
2015218554.tif 000014
【図１３】
2015218554.tif 000015
【図１４】
2015218554.tif 000016
【図１５】
2015218554.tif 000017
【図１６】
2015218554.tif 000018